(57)【要約】【課題】足場の設置作業時間を短くすることができながら、補修の対象となる構造物等を傷付けるおそれのない足場の固定具を提供する。【解決手段】構造物の支持杭１００に固定する足場の固定具Ｘについて、支持杭１００に巻付け可能な帯状シート１０と、この帯状シート１０に取り付けられた足場の掛止具３とを備え、帯状シート１０には流体を注入可能な袋部Ａが存在し、帯状シート１０が支持杭１００に巻き付けられている状態において袋部Ａに流体を注入すると、帯状シート１０が支持杭１００を締め付ける構成とする。【選択図】図１
2019015107.tif 000002
【特許請求の範囲】
【請求項１】
構造物の支持杭に固定する足場の固定具であって、
前記支持杭に巻付け可能な帯状シートと、この帯状シートに取り付けられた前記足場の掛止具とを有し、
前記帯状シートには流体を注入可能な袋部が存在し、
前記帯状シートが前記支持杭に巻き付けられている状態において前記袋部に流体を注入すると、前記帯状シートが前記支持杭を締め付ける構成とされている、
ことを特徴とする足場の固定具。
【請求項２】
前記帯状シートは、外側シート及び内側シートが積層されて形成され、
前記帯状シートは、前記外側シート及び前記内側シートが相互に接合された接合部と、相互に接合されていない非接合部とを有し、
前記非接合部の前記外側シートと前記内側シートと間に袋シートが収められ、この袋シートに前記流体が注入可能とされている、
請求項１に記載の足場の固定具。
【請求項３】
前記接合部の外側シートに、前記掛止具が取り付けられている、
請求項２に記載の足場の固定具。
【請求項４】
前記帯状シートの一端部及び他端部は、非接合部とされ、
前記外側シートの一端部及び他端部並びに前記内側シートの一端部及び他端部は、それぞれ連結可能とされ、
前記外側シートの連結位置と前記内側シートの連結位置とが、前記支持杭の周方向に異なる、
請求項２又は請求項３に記載の足場の固定具。
【請求項５】
前記帯状シートの上端部に、マグネットが取り付けられている、
請求項１〜４のいずれか１項に記載の足場の固定具。
【発明の詳細な説明】
【技術分野】
【０００１】
本発明は、桟橋の構造物等を補修等する際に使用する足場の固定具に関するものである。
【背景技術】
【０００２】
構造物を補修するにあたって、高い所での作業が必要になる場合は、通常、足場が組み立てられる（足場の設置）。また、埠頭に存在する桟橋等の水上構造物の下面（裏面）を補修する場合も、水上での作業となるため、足場が組み立てられる。もっとも、水上構造物の場合は、地面を土台（基礎）として足場を組み立てるということができない。そこで、水上構造物の場合は、水上構造物自体の下面にアンカーボルトを打ち込み、このアンカーボルトからチェーンを吊り下げ、このチェーンを利用して足場を設置している。しかしながら、この方法による場合は、水上構造物の下面にアンカーボルトを打ち込むための穴をあける必要がある。しかも、アンカーボルトは、接着剤等で強固に定着させる必要がある。この定着は、安全性等を考慮して、引抜き荷重が、例えば１５ｋＮ程度になるように行われ、その分、定着時間も長くなる。したがって、以上の方法によると、足場を設置するために要する時間（期間）が極めて長くなる。加えて、水上構造物の下での作業は、潮が満ちているときにはできないため、作業時間が限られる。１日の作業時間は、例えば、３〜４時間程度になる。結果、９００ｍ2程度の広さの足場を設置するのに、長期間が必要になる。この他、以上の方法によると、アンカーボルトを打ち込むためにあけた穴から水上構造物の劣化が進むおそれがある。
【０００３】
そこで、水上構造物を支持する支持杭に足場を固定する方法が提案されている（例えば、特許文献１〜３等参照。）。これらの方法（支持杭固定方式）によると、水上構造物自体にアンカーボルトを打ち込むための穴をあける必要がなく、また、アンカーボルトを定着させるための時間も必要がない。しかしながら、これら従来の支持杭固定方式によると、支持杭の足場を固定する部分が劣化（損傷等）するおそれがある。特に、支持杭が鋼管杭である場合は、腐食の防止等を目的として鋼管杭の表面にライニングが施されているため、従来の支持杭固定方式によると、当該ライニングを傷つけてしまうおそれがある。
【先行技術文献】
【特許文献】
【０００４】
【特許文献１】特開平１０−３２５１２６号公報
【特許文献２】特開２０１２−７７５７８号公報
【特許文献３】特開２０１５−２２９８５０号公報
【発明の概要】
【発明が解決しようとする課題】
【０００５】
本発明が解決しようとする主たる課題は、足場の設置作業時間を短くすることができながら、補修の対象となる構造物等を傷付けるおそれのない足場の固定具を提供することにある。
【課題を解決するための手段】
【０００６】
上記課題を解決するための手段は、
構造物の支持杭に固定する足場の固定具であって、
前記支持杭に巻付け可能な帯状シートと、この帯状シートに取り付けられた前記足場の掛止具とを有し、
前記帯状シートには流体を注入可能な袋部が存在し、
前記帯状シートが前記支持杭に巻き付けられている状態において前記袋部に流体を注入すると、前記帯状シートが前記支持杭を締め付ける構成とされている、
ことを特徴とする足場の固定具である。
【発明の効果】
【０００７】
本発明によると、足場の設置作業時間を短くすることができながら、補修の対象となる構造物等を傷付けるおそれのない足場の固定具となる。
【図面の簡単な説明】
【０００８】
【図１】支持杭に巻き付ける前の足場固定具を示す上面図である。
【図２】支持杭に巻き付ける前の足場固定具を示す正面図である。
【図３】支持杭に巻き付けた足場固定具を示す正面図である。
【図４】支持杭に巻き付けた足場固定具を示す上面図である。
【図５】足場固定具の設置例である。
【発明を実施するための形態】
【０００９】
次に、本発明を実施するための形態を説明する。なお、本実施の形態は、本発明の一例である。
【００１０】
（固定場所）
本形態の足場の固定具（足場固定具）Ｘは、「構造物の足場」を固定するための治具として機能する。構造物は、地上構造物であっても、図５に例示するような、水上構造物１０２であってもよい。水上構造物１０２とは、例えば、埠頭に存在する桟橋等である。水上構造物１０２は、水面Ｗの上方に位置するため、本形態による足場固定具Ｘの効果がいかんなく発揮される。
【００１１】
本形態の足場固定具Ｘは、水上構造物１０２を支持する支持杭１００に固定する。足場固定具Ｘは、支持杭１００に対して、上下方向の如何なる位置にも固定することができる。したがって、水上構造物１０２の下面（裏面）に、これを補強する梁１０３等が存在する場合や、その他の付加物が存在する場合等においても、何ら支障なく支持杭１００に対して足場固定具Ｘを固定することができる。図示例では、梁１０３に沿って足場固定具Ｘを固定した例を示している。
【００１２】
支持杭Ｘは、鋼管杭であっても、その他の例えばコンクリート製の杭であってもよい。本形態の足場固定具Ｘは、後述するように支持杭１００を傷付けるおそれがないため、例えば、鋼管杭の表面にライニングが施されている場合等においても、問題なく使用することができる。
【００１３】
（足場固定具）
図１〜３に示すように、本形態の足場固定具Ｘは、支持杭１００に巻き付けることができる帯状シート１０と、この帯状シート１０に取り付けられている足場の掛止具（足場掛止具）３とを、主に有する。
【００１４】
帯状シート１０は、外側シート１１と内側シート１２とが積層されて形成されている。外側シート１１及び内側シート１２は、いずれも帯状である。外側シート１１及び内側シート１２は、概ね長方形状であり、同一形状である。本形態の帯状シート１０は、外側シート１１及び内側シート１２からなる２層構造であるが、必要により、３層以上の複数層構造とすることもできる。
【００１５】
帯状シート１０には、外側シート１１及び内側シート１２が相互に接合された接合部１０Ｘと、外側シート１１及び内側シート１２が相互に接合されていない非接合部１０Ｙとが存在する。接合部１０Ｘ及び非接合部１０Ｙは、支持杭１００の周方向１００Ａに順に並んでいる。外側シート１１及び内側シート１２の接合は、例えば、縫付け、接着、融着等によることができる。
【００１６】
図示例では、接合部１０Ｘが５部位（５箇所）存在し、非接合部１０Ｙが４部位（４箇所）存在する。ただし、帯状シート１０は、支持杭１００に巻かれたときに、端部同士が重なり合う。したがって、帯状シート１０が支持杭１００に巻かれた状態においては、接合部１０Ｘが４部位になると言える。
【００１７】
接合部１０Ｘ及び非接合部１０Ｙの数は、必要により、増減することができる。ただし、非接合部１０Ｙの支持杭１００の周方向１００Ａに沿った長さが、帯状シート１０の長手方向の長さ（支持杭１００の周方向１００Ａに沿った長さ）の１００％〜１５０％となるようにするのが好ましい。非接合部１０Ｙの当該長さが上記下限値を下回ると、支持杭１００に帯状シート１０を確実に固定することができなくなるおそれがある。他方、非接合部１０Ｙの当該長さが上記上限値を上回ると、帯状シート１０の剛性を確保することができなくなるおそれがある。この点、剛性を確保することができないと、例えば、足場を構成する部材１０１等を掛止した際に、帯状シート１０（足場固定具Ｘ）が歪んでしまうおそれがある。
【００１８】
帯状シート１０には、流体を注入することができる袋部Ａが存在する。帯状シート１０が支持杭１００に巻き付けられている状態において、袋部Ａに流体を注入すると、袋部Ａが膨らみ、帯状シート１０が支持杭１００を締め付ける状態になる。この締付けによって、帯状シート１０（足場固定具Ｘ）が支持杭１００に対して確実に固定される。また、支持杭１００に接触するのが帯状シート１０のみであるため、支持杭１００を傷付けるおそれもない。しかも、アンカーの打込みや、ボルトの締付け等の作業を必要とせず、流体の注入のみで足りるため、足場の設置作業時間を短くすることができる。
【００１９】
支持杭１００に対する足場固定具Ｘの固定を確実にするという観点からは、流体の注入圧を、例えば、３０ｋＰａ〜８０ｋＰａとするのが好ましい。
【００２０】
袋部Ａに注入する流体は、通常、空気である。ただし、流体としては、必要により、窒素等の気体を、場合によっては海水等の流体をも利用することができる。なお、空気等の注入は、例えば、コンプレッサー等を利用して行うことになる。このコンプレッサー等は、安全性の観点から、足場の固定時においては常時駆動しておくのが好ましい。
【００２１】
本形態の袋部Ａは、帯状シート１０の非接合部１０Ｙにおける（位置する）外側シート１１と内側シート１２と間に袋シート２１が収められることで構成されている。流体は、注入口１３を通して、各袋シート２１内に注入する。図示例では、注入口１３の数が、各袋シート２１（袋部Ａ）に対して２つとなっている。ただし、注入口１３の数は、各袋シート２１（袋部Ａ）に対して、１つ、又は３つ以上の複数とすることもできる。
【００２２】
次に、帯状シート１０に取り付けられている足場掛止具３について、説明する。
足場掛止具３は、図３に示すように、足場を構成する部材１０１、例えば、水平方向に延在する鉄筋等を掛止する（吊り下げる）部材である。例えば、図５に示すように、相互に隣接する足場固定具Ｘの各足場掛止具３によって、同一の足場を構成する部材１０１を掛止することで、足場の設置が可能になり、あるいは足場が設置される。
【００２３】
本形態においては、足場掛止具３が、一方の帯状のシート（掛止用シート）が折り返されることで構成されている。当該掛止用シートは、両端部が重ね合わされたうえで、帯状シート１０に取り付けられている。一方、掛止用シートの折返し部には、足場を構成する部材１０１が通される。これにより、足場固定具Ｘに対して足場を構成する部材１０１が掛止される。
【００２４】
足場掛止具３の取付けは、強度の観点から、外側シート１１の接合部１０Ｘに対して行うのが好ましい。図示例では、足場掛止具３の取付けが、上下２箇所（２段）で行われている。ただし、必要により、１箇所（１段）、又は３箇所以上の複数箇所（複数段）とすることもできる。いずれの場合も、足場掛止具３の取付けは、強度の観点から、例えば、縫付け、接着、融着等の接合によるのが好ましい。
【００２５】
帯状シート１０の一端部１０Ａ及び他端部１０Ｂは、非接合部１０Ｙとされており、外側シート１１及び内側シート１２が接合されていない。そして、図３に示すように、外側シート１１の一端部１１Ａ及び他端部１１Ｂは、連結可能とされている。同様に、内側シート１２の一端部１２Ａ及び他端部１２Ｂも、連結可能とされている。これらの連結（帯状シート１０の連結）は、帯状シート１０を支持杭１００に対して巻き付けた後、袋部Ａに流体を注入するに先立って行う。
【００２６】
帯状シート１０の連結は、例えば、線ファスナー（スライドファスナー、滑り式留金具）、ボタン等の点ファスナー、マジックテープ（登録商標）等の面ファスナーなどを利用して実現することができる。ただし、設置作業の迅速性や強度の観点からは、線ファスナーによるのが好ましい。そして、線ファスナーによる場合、特に強度の観点からは、外側シート１１の連結位置１１Ｃと内側シート１２の連結位置１２Ｃとが、支持杭１００の周方向１００Ａに関して異なるものとするのが好ましい。この位置ずれ（相違）の長さ１０Ｌは、例えば、５〜２０ｃｍであるのが好ましい。
【００２７】
図２に示すように、帯状シート１０の上端部には、マグネット１４が取り付けられている。マグネット１４が取り付けられていると、例えば、支持杭１００が鋼管杭である場合においては、袋部Ａに流体を注入する前に、帯状シート１０を支持杭１００に仮留めすることができる。足場固定具Ｘの固定（設置）作業は、水面Ｗ上での作業となり、また、極めて狭い空間での作業になる。したがって、マグネット１４による仮留めは、極めて有用である。
【００２８】
マグネット１４の取付けは、強度の観点から、帯状シート１０の接合部１０Ｘに対して行うのが好ましい。図示例では、各接合部１０Ｘの上端部に、マグネット１４を取り付けている。マグネット１４の取付けは、上下方向に位置をずらして２箇所以上の複数箇所に行うこともできる。
【００２９】
（素材等）
外側シート１１は、支持杭１００に巻き付けられた状態において、表面に露出部材である。また、外側シート１１は、支持杭１００に対する帯状シート１１の強固な巻付け状態を確保するための部材である。したがって、外側シート１１には、柔軟性と共に十分な引張強さが要求される。外側シート１１の引張強さは、例えば１８００Ｎ／５ｃｍ以上であるのが好ましい。このような要求を満たす素材としては、例えば、高強度ナイロン、アラミド、ポリエステル  ポリアリレート等を例示することができる。
【００３０】
内側シート１２は、支持杭１００に巻き付けられた状態において、当該支持杭１００に当接する（接触する）部材である。したがって、内側シート１２には、柔軟性と共に摩擦に対する強さが要求される。また、内側シート１２には、支持杭１００に対して十分な摩擦力を有することも要求される。このような要求を満たす素材としては、例えば、等を例示することができる。
【００３１】
足場掛止具３を構成する掛止用シートは、足場を構成する部材１０１を掛止する部材である。したがって、掛止用シートには、柔軟性と共に摩擦に対する強さが要求される。また、掛止用シートには、足場等を吊り下げるだけの十分な強度を有することも要求される。このような要求を満たす素材としては、例えば、各種ゴム、塩化ビニル、ポリアリレート等を例示することができる。なお、足場掛止具３は、掛止用シート以外の部材で構成することもでき、その場合は、硬質な素材で形成することもできる。
【００３２】
袋シート２１は、空気等の流体を注入するための部材である。したがって、袋シート２１には、流体の圧力によって裂けるおそれのない十分な強さが要求される。また、袋シート２１には、流体が抜けるおそれのない密閉性、流体が空気等の気体の場合は気密性も要求される。
【産業上の利用可能性】
【００３３】
本発明は、桟橋等の構造物を補修等する際に使用する足場の固定具として利用することができる。
【符号の説明】
【００３４】
３  足場掛止具
１０  帯状シート
１１  外側シート
１２  内側シート
１３  注入口
１４  マグネット
２１  袋シート
１００  支持杭
１０１  足場を構成する部材
１０２  水上構造物
１０３  梁
Ａ  袋部
Ｘ  足場固定具
【図１】
2019015107.tif 000003
【図２】
2019015107.tif 000004
【図３】
2019015107.tif 000005
【図４】
2019015107.tif 000006
【図５】
2019015107.tif 000007